(57)【要約】【課題】骨材を容易且つ確実に表乾状態にできる。【解決手段】  水を含有する骨材が山積するように載置される透水シートと、前記透水シートが敷設され、前記骨材が表乾状態となるように、前記骨材の表面水を前記透水シートを介して排水する排水溝を有する被敷設体と、を備える。【選択図】  図１
2013053468.tif 000002
【特許請求の範囲】
【請求項１】
水を含有する骨材が山積するように載置される透水シートと、
前記透水シートが敷設され、前記骨材が表乾状態となるように、前記骨材の表面水を前記透水シートを介して排水する排水溝を有する被敷設体と、
を備えたことを特徴とする骨材の表乾処理装置。
【請求項２】
前記被敷設体は、前記排水溝が形成される舗装路である
ことを特徴とする請求項１に記載の骨材の表乾処理装置。
【請求項３】
前記被敷設体は、前記透水シートが敷設される面に対して、前記排水溝を一方向に沿って複数有する
ことを特徴とする請求項１に記載の骨材の表乾処理装置。
【請求項４】
排水溝を有する被敷設体に透水シートを敷設するステップと、
前記透水シート上に水を含有する骨材を山積するように載置するステップと、
前記骨材の表面水を前記透水シートを介して前記排水溝から排水させるステップと、
を備えることを特徴とする骨材の表乾処理方法。
【発明の詳細な説明】
【技術分野】
【０００１】
本発明は、骨材の表乾処理装置、骨材の表乾処理方法に関する。
【背景技術】
【０００２】
例えば、骨材を表乾状態にするための装置として、乾燥用シート（特許文献１参照）が知られている。この乾燥用シートでは、透水層に、吸水した骨材を載置して骨材の表面を乾燥させていた。
【先行技術文献】
【特許文献】
【０００３】
【特許文献１】特開２０１１−７４６５３号公報
【発明の概要】
【発明が解決しようとする課題】
【０００４】
特許文献１の乾燥用シートでは、例えば骨材の表面の水滴を排水できずに、骨材を表乾状態にできない虞があった。
【課題を解決するための手段】
【０００５】
前述した課題を解決する主たる本発明は、水を含有する骨材が山積するように載置される透水シートと、前記透水シートが敷設され、前記骨材が表乾状態となるように、前記骨材の表面水を前記透水シートを介して排水する排水溝を有する被敷設体と、を備えたことを特徴とする骨材の表乾処理装置である。
【０００６】
本発明の他の特徴については、添付図面及び本明細書の記載により明らかとなる。
【発明の効果】
【０００７】
本発明によれば、骨材を容易且つ確実に表乾状態にできる。
【図面の簡単な説明】
【０００８】
【図１】本発明の第１実施形態における表乾処理装置を示す斜視図である。
【図２】本発明の第１実施形態における舗装路を示す斜視図である。
【図３】本発明の第１実施形態における骨材が載置された状態の表乾処理装置を示す斜視図である。
【図４】本発明の第１実施形態における表乾処理装置を示す平面図である。
【図５】本発明の第１実施形態における表乾処理装置を示す断面図である。
【図６】本発明のその他の実施形態における表乾処理装置を示す斜視図である。
【図７】本発明のその他の実施形態における透水シートを取り外した状態の表乾処理装置を示す斜視図である。
【図８】本発明のその他の実施形態における表乾処理装置を示す平面図である。
【図９】本発明のその他の実施形態における骨材が載置された状態の表乾処理装置を示す斜視図である。
【発明を実施するための形態】
【０００９】
本明細書および添付図面の記載により、少なくとも以下の事項が明らかとなる。
【００１０】
[第１実施形態]
＝＝＝表乾処理装置＝＝＝
図１は、本実施形態における表乾処理装置を示す斜視図である。図２は、本実施形態における舗装路を示す斜視図である。図３は、本実施形態における骨材が載置された状態の表乾処理装置を示す斜視図である。尚、図１乃至図３は、舗装路２における透水シート１が敷設される部分を切り出した図である。図１乃至図３において、溝２１、３４の縁の一部は見えない状態となっているが、説明の便宜上、点線で示される。
【００１１】
表乾処理装置１００（骨材の表乾処理装置）は、骨材７を表乾状態にするための装置である。尚、骨材７、表乾状態の詳細については後述する。表乾処理装置１００は、透水シート１、舗装路２（被敷設体）を含んで構成される。尚、本実施形態において、Ｘ軸は、溝３４の長手方向に沿う軸であり、溝３４の深さが深い一方側を＋Ｘ方向とし、溝３４の深さが浅い他方側を−Ｘ方向とする。Ｙ軸は、表乾処理装置１００に対して垂直方向に沿う軸であり、上に向かう方向を＋Ｙ方向とし、下に向かう方向を−Ｙ方向とする。Ｚ軸は、溝２１の長手方向（奥行き方向）に沿う軸であり、溝２１の深さが深い手前側を−Ｚ方向とし、溝２１の深さが浅い他方側を＋Ｚ方向とする。
【００１２】
透水シート１は、水を含有する骨材７を表乾状態にするために、骨材７が載置される透水性のシートである。尚、透水シート１の詳細については後述する。
【００１３】
舗装路２は、透水シート１が敷設され、透水シート１上に載置された骨材７の表面水を排水するための、例えばコンクリート製の舗装路である。尚、骨材７の表面水、舗装路２の詳細については後述する。
【００１４】
＝＝＝舗装路＝＝＝
以下、図１乃至図５を参照して、本実施形態における舗装路について説明する。図４は、図３を下方向へ向かって見た、表乾処理装置を示す図である。尚、溝２１の一部は見えない状態となっているが、説明の便宜上、点線で示される。図５は、図４のＤ１−Ｄ２断面から奥側へ向かって見た、表乾処理装置を示す断面図である。
【００１５】
舗装路２は、前述の通り、透水シート１が敷設され、透水シート１上に載置された骨材７の表面水を排水するための、例えば上面が平坦なコンクリート製の舗装路である。舗装路２は、溝２１（排水溝）を有する。溝２１は、透水シート１を介して骨材７の表面水を排出するための溝である。溝２１は、溝２１の長手方向が奥行き方向に沿うように、舗装路２の上面に例えば複数形成される。溝２１は、溝２１の奥側から手前側に向かって連続的に高さが低くなるように、舗装路２の上面に形成される。尚、骨材７の表面水が舗装路２の手前側に設けられた側溝３に排水されるように、溝２１の手前側は側溝３の側壁３３側に開口しているものとする。
【００１６】
ここで、舗装路２の手前側には、溝２１から排水された骨材７の表面水を例えば河川に排水するための側溝３が設けられる。側溝３は、側壁３１、３３、底板３２を有する。側壁３１、３３、底板３２は、例えば略矩形柱形状を呈するコンクリート部材である。側壁３３は、側溝３における溝３４の奥側の側壁を形成するための部材である。側壁３３の奥側の面は、側壁３３の上面と舗装路２の上面とが例えば同様な高さとなるように、例えば舗装路２の手前側の面に結合される。底板３２は、側溝３における溝３４の底面を形成するための部材である。底板３２の上面の高さが他方側から一方側に向かって連続的に低くなるように、底板３２の奥側の縁は、側壁３３の下側の縁に結合される。側壁３１は、側溝３における溝３４の手前側の側壁を形成するための部材である。側壁３１は、側壁３１の上面と側壁３３の上面とが例えば同様な高さとなるように、側壁３１の下側の縁が、底板３２の手前側の縁に結合される。尚、側壁３３の上部には、骨材７の表面水を溝２１から溝３４に排出できるように、溝２１の手前側が側壁３３側に開口するように、溝２１の手前側に開口を形成する切り欠きが形成されているものとする。
【００１７】
＝＝＝透水シート＝＝＝
以下、図１乃至図５を参照して、本実施形態における透水シートについて説明する。透水シート１は、前述の通り、水を含有する骨材７を表乾状態にするために、骨材７が載置される透水性のシートである。
【００１８】
透水シート１は、例えば略矩形形状を呈する。透水シート１は、舗装路２に形成された溝２１を上側から覆うように、舗装路２の上面に敷設される。透水シート１上には、水分を含有した骨材７が山積するように載置される。ここで、骨材７は、例えばコンクリートを作る際に、セメント、水と共に配合される、例えば粒径が５ミリメートルよりも短い細骨材である。舗装路２の上面に敷設された透水シート１上に骨材７を載置した場合、骨材７の表面水のみが透水シート１を透過して、骨材７は透水シート１上に残留するものとする。又、舗装路２の上面に敷設された透水シート１上に骨材７を載置した際、透水シート１が撓んで溝２１を塞がないように、溝２１の幅、間隔は調整されているものとする。尚、骨材７の詳細については後述する。
【００１９】
例えば、舗装路２の上面に敷設された透水シート１上に、水分を含有した骨材７を載置した場合、骨材７の表面水は、透水シート１を介して溝２１に排水される。
【００２０】
＝＝＝骨材＝＝＝
以下、図１乃至図５を参照して、本実施形態における骨材について説明する。
【００２１】
骨材７は、前述の通り、例えばコンクリートを作る際に、セメント、水と共に配合される、例えば粒径が５ミリメートルよりも短い細骨材である。
【００２２】
例えば、コンクリートの強度は水とセメントとの比率により決まる。よって、所定の強度のコンクリートを作る際、水、セメントと共に配合される骨材７の吸水量を把握して水とセメントとの比率を設定する必要がある。一般に、コンクリートを作る際、例えば骨材７の吸水、骨材７の表面水により、水とセメントとの比率の変化を抑えるために、骨材７は、十分に吸水し且つ表面が乾燥した状態（以下、「表乾状態」という）で用いられる。
【００２３】
＝＝＝骨材を表乾状態とする方法＝＝＝
以下、図１乃至図５を参照して、本実施形態における表乾処理装置を用いて、骨材を表乾状態とする方法の一例について説明する。
【００２４】
例えば、透水シート１が、舗装路２に形成された溝２１を上側から覆うように、舗装路２の上面に敷設される。例えば、湿潤状態の骨材７が、透水シート１上に山積するように載置される。尚、湿潤状態の骨材７とは、例えば、骨材７の各粒子が十分に吸水し、且つ骨材７の各粒子の表面に水分が付着している状態の骨材７を示すものとする。骨材７の表面に付着した水を「骨材７の表面水」と称するものとする。例えば、骨材７を一定時間（例えば数日間）水に浸しておくことによって、骨材７を湿潤状態にすることができる。この湿潤状態の骨材７を透水シート１上に載置した場合、骨材７の表面水は、透水シート１を介して溝２１に排水される。溝２１に排水された骨材７の表面水は、溝３４を介して例えば河川に排水される。例えば、骨材７を透水シート１上に所定時間継続して載置しておくことによって、骨材７の表面水は乾燥し、骨材７は表乾状態となる。
【００２５】
前述したように、透水シート１には、水を含有する骨材７が山積するように載置される。舗装路２には透水シート１が敷設される。舗装路２には、透水シート１を介して骨材７の表面水を排水する溝２１が形成される。よって、透水シート１を透過した骨材７の表面水を、溝２１から確実に排水できるので、舗装路２に敷設された透水シート１上に、水を含有する骨材７を載置することによって、骨材７を容易且つ確実に表乾状態にできる。
【００２６】
又、舗装路２に透水シート１が敷設されているので、例えば透水シート１は略水平に敷設されることになる。よって、水を含有する骨材７を透水シート１上に確実に載置することができるので、骨材７を更に確実に表乾状態にできる。
【００２７】
又、溝２１は、溝２１の長手方向が奥行き方向に沿うように、舗装路２の上面に複数形成される。よって、例えば、溝２１に対して、溝２１の奥側から手前側に向かって連続的に高さが低くなるような勾配を持たせることによって、骨材７の表面水を確実に排水できる。よって、骨材７を更に確実に表乾状態にできる。
【００２８】
[その他の実施形態]
＝＝＝表乾処理装置＝＝＝
図６は、本実施形態における表乾処理装置を示す斜視図である。尚、排水孔８１ｂの一部は見えない状態となっているが、説明の便宜上、点線で示される。図７は、本実施形態における透水シート１ｂを取り外した状態の表乾処理装置を示す斜視図である。図８は、図６を奥側へ向かって見た、表乾処理装置を示す斜視図である。表乾処理装置１００ｂは、骨材７を表乾状態にするための装置である。図９は、本実施形態における骨材が載置された状態の表乾処理装置を示す斜視図である。尚、図６、図７、図９は、舗装路２ｂにおける基台８ｂが載置される部分を切り出した図である。表乾処理装置１００ｂは、透水シート１ｂ、基台８ｂを含んで構成される。尚、本実施形態において、Ｙ軸は、表乾処理装置１００ｂに対して垂直方向に沿う軸であり、上に向かう方向を＋Ｙ方向とし、下に向かう方向を−Ｙ方向とする。Ｚ軸は、排水孔８１ｂの長手方向（奥行き方向）に沿う軸であり、排水孔８１ｂの手前側を−Ｚ方向とし、排水孔８１ｂの奥側を＋Ｚ方向とする。Ｘ軸は、排水孔８１ｂの長手方向に直行する方向に沿う軸であり、一方側を＋Ｘ方向とし、他方側を−Ｘ方向とする。
【００２９】
透水シート１ｂは、水を含有する骨材７を表乾状態にするために、骨材７が載置される透水性のシートである。尚、透水シート１ｂの詳細については後述する。
【００３０】
基台８ｂは、透水シート１ｂが敷設され、透水シート１ｂ上に載置された骨材７の表面水を排水するための台である。尚、基台８ｂの詳細については後述する。
【００３１】
＝＝＝基台＝＝＝
以下、図６乃至図９を参照して、本実施形態における基台について説明する。  
基台８ｂは、前述の通り、透水シート１ｂが敷設され、透水シート１ｂ上に載置された骨材７の表面水を排水するための、例えば上面が平坦な台である。基台８ｂは、排水孔８１ｂを有する。排水孔８１ｂは、透水シート１ｂを介して骨材７の表面水を排出するための例えば長孔である。排水孔８１ｂは、排水孔８１ｂの長手方向が奥行き方向に沿うように、基台８ｂの上面および下面を貫通するように、基台８ｂに対して例えば複数形成される。基台８ｂの下面には、複数の脚８２ｂが設けられる。基台８ｂは、基台８ｂの下面と舗装路２ｂの上面との間に排水するための隙間ができるように、複数の脚８２ｂによって、舗装路２ｂの上側で支持される。尚、舗装路２ｂは、例えば上面が平坦なコンクリート製の舗装路である。
【００３２】
＝＝＝透水シート＝＝＝
以下、図６乃至図９を参照して、本実施形態における透水シートについて説明する。  
透水シート１ｂは、前述の通り、水を含有する骨材７を表乾状態にするために、骨材７が載置される透水性のシートである。透水シート１ｂは、例えば略矩形形状を呈する。透水シート１ｂは、基台８ｂの排水孔８１ｂを上側から覆うように、基台８ｂの上面に敷設される。透水シート１ｂには、水分を含有した骨材７が山積するように載置される。基台８ｂの上面に敷設された透水シート１ｂ上に骨材７を載置した場合、骨材７の表面水のみが透水シート１ｂを透過して、骨材７は透水シート１ｂ上に残留するものとする。又、基台８ｂの上面に敷設された透水シート１ｂ上に骨材７を載置した際、透水シート１ｂが撓んで基台８ｂの下面と舗装路２ｂ上面との間の隙間を塞がないように、排水孔８１ｂの幅、間隔は調整されているものとする。  
例えば、基台８ｂの上面に敷設された透水シート１ｂ上に、水分を含有した骨材７を載置した場合、骨材７の表面水は、透水シート１ｂを介して排水孔８１ｂに排水される。
【００３３】
＝＝＝骨材を表乾状態とする方法＝＝＝
以下、図６乃至図９を参照して、本実施形態における表乾処理装置を用いて、骨材を表乾状態とする方法の一例について説明する。
【００３４】
例えば、基台８ｂが舗装路２ｂ上に載置される。例えば、透水シート１ｂが、基台８ｂに形成された排水孔８１ｂを上側から覆うように載置される。例えば、湿潤状態の骨材７が、透水シート１ｂ上に山積するように載置される。骨材７の表面水は、透水シート１ｂを介して排水孔８１ｂに排水される。例えば、骨材７を透水シート１ｂ上に所定時間継続して載置しておくことによって、骨材７の表面水は乾燥し、骨材７は表乾状態となる。
【００３５】
前述したように、透水シート１ｂには、水を含有する骨材７が山積するように載置される。基台８ｂは、舗装路２ｂ上に載置され、透水シート１ｂが敷設される。舗装路２ｂには、透水シート１ｂを介して骨材７の表面水を排水する排水孔８１ｂが形成される。よって、透水シート１ｂを透過した骨材７の表面水を、排水孔８１ｂから確実に排水できるので、基台８ｂに敷設された透水シート１ｂ上に、水を含有する骨材７を載置することによって、骨材７を容易且つ確実に表乾状態にできる。
【００３６】
尚、第１実施形態、その他の実施形態は、本発明の理解を容易にするためのものであり、本発明を限定して解釈するためのものではない。本発明は、その趣旨を逸脱することなく、変更、改良され得るとともに、本発明にはその等価物も含まれる。
【００３７】
第１実施形態においては、例えば骨材７を表乾状態とする際、湿潤状態の骨材７を表乾処理装置１００に載置する構成について説明したが、これに限定されるものではない。例えば、骨材７に対して水を散水する散水装置を設けて、骨材７を表乾処理装置１００上に載置した状態で、散水装置によって骨材７に対して水を吸収させる構成としてもよい。その場合、吸水して荷重が増大した骨材７を表乾処理装置１００上に載置する必要がないので、骨材７を容易に表乾状態とすることができる。
【符号の説明】
【００３８】
１、１ｂ  透水シート
２、２ｂ  舗装路
３  側溝
７  骨材
８ｂ  基台
２１、３４  溝
３１、３３  側壁
３２  底板
８１ｂ  排水孔
８２ｂ  脚
１００、１００ｂ  表乾処理装置
【図１】
2013053468.tif 000003
【図２】
2013053468.tif 000004
【図３】
2013053468.tif 000005
【図４】
2013053468.tif 000006
【図５】
2013053468.tif 000007
【図６】
2013053468.tif 000008
【図７】
2013053468.tif 000009
【図８】
2013053468.tif 000010
【図９】
2013053468.tif 000011